(57)【要約】【課題】連動信号にアドレス信号を付加しなくても点灯した照明器具に連動して他の照明器具を点灯させる。【解決手段】人感センサ５とランプ６とを具備する照明器具２に、共通の連動信号Ｓ３が入力されると共に、この連動信号Ｓ３を時分割した各分割区間Ｌを、各照明器具２のアドレスに対応させ、各照明器具２には、自己の人感センサ５が人を検知したとき、自己のアドレスに対応する分割区間Ｌに人検知信号Ｓ１を付加する検知信号出力手段が設けられると共に、連動すべきアドレスに対応する分割区間Ｌで人検知信号Ｓ１を検出したとき、自己のランプ６を点灯させる連動点灯手段が設けられている。【選択図】      図１
2004185869.tif 000002
【特許請求の範囲】
【請求項１】
人感センサ（５）とランプ（６）とを具備する照明器具（２）が、複数個設けられ、各照明器具（２）に、自己のアドレスと、他の照明器具（２）のうち連動して点灯すべき照明器具（２）のアドレスとが記録され、
各照明器具（２）は、自己の人感センサ（５）が人を検知したとき、自己のランプ（６）を点灯させると共に、連動すべき他の照明器具（２）が人感センサ（５）を検知したとき、その照明器具（２）と連動してランプを点灯させるようにした照明システムにおいて、
各照明器具（２）に、共通の連動信号（Ｓ３）が入力されると共に、この連動信号（Ｓ３）を時分割した各分割区間（Ｌ）を、各照明器具（２）のアドレスに対応させており、
各照明器具（２）は、自己の人感センサ（５）が人を検知したとき、自己のアドレスに対応する分割区間（Ｌ）に人検知信号（Ｓ１）を付加する検知信号出力手段が設けられ、
各照明器具（２）は、連動すべきアドレスに対応する分割区間（Ｌ）で人検知信号（Ｓ１）を検出したとき、自己のランプ（６）を点灯させる連動点灯手段が設けられていることを特徴とする照明システム。
【請求項２】
前記各照明器具（２）に、共通の同期信号（Ｓ２）が入力されるように構成され、
前記検知信号出力手段は、前記同期信号（Ｓ２）を入力するタイミング（Ｔ）間で１ずつカウントしていき、そのカウント数が、自己のアドレスに一致したときの前記分割区間（Ｌ）に人検知信号（Ｓ１）を付加するようにしていることを特徴とする請求項１に記載の照明システム。
【請求項３】
前記各照明器具（２）に、共通の同期信号（Ｓ２）が入力されるように構成され、
前記連動点灯手段は、前記同期信号（Ｓ２）を入力するタイミング（Ｔ）間で１ずつカウントしていき、そのカウント数が、連動すべきアドレスと一致したときの分割区間（Ｌ）で人検知信号（Ｓ１）を検出したとき、自己のランプ（６）を点灯するようにしていることを特徴とする請求項１又は２に記載の照明システム。
【請求項４】
前記同期信号（Ｓ２）は、各照明器具（２）に接続された電源電圧の波形を同期させたものであることを特徴とする請求項２又は３に記載の照明システム。
【発明の詳細な説明】
【０００１】
【発明の属する技術分野】
本発明は、照明器具等を点灯させる照明システムに関するものである。
【０００２】
【従来の技術】
一つの照明器具が点灯した際に、他の照明器具がその点灯した照明器具に連動して点灯する照明システムとして、例えば特開平１０−１０６７５９号公報に開示されているものがある。
この照明システムは、複数の照明器具が信号線で接続されており、この信号線には、各照明器具を制御する伝送ユニットが設けられている。照明器具が人を検知した場合、人を検知した照明器具が点灯すると共に、この照明器具が自己の識別コード（アドレス）を伝送ユニットに伝送する。そして、この伝送ユニットが、連動点灯すべき他の照明器具に制御コードを伝送することによって、他の照明器具は、点灯した照明器具と連動点灯するようになっている。
【０００３】
【特許文献１】
特開平１０−１０６７５９号公報
【０００４】
【発明が解決しようとする課題】
しかしながら、従来の照明システムは、点灯した照明器具に連動して他の照明器具を点灯させるためには、信号線に点灯した照明器具の識別コードを伝送ユニットに送信し、且つ、識別コードを受信した伝送ユニットは信号線に制御コードを送信しなければならないので、この信号線の信号は、識別コードと制御コードが重畳した多重信号となり、その多重信号を処理するために、各照明器具に信号線用（通信用）マイコン等が必要となるので照明システムが高価になるという問題があった。
【０００５】
また、照明器具を連動して点灯させるためには、各照明器具の他に各照明器具を制御する伝送ユニットが必要であり、この点からも照明システムが高価になるという問題があった。
そこで、本発明は、上記問題点に鑑み、連動信号にアドレス信号を付加しなくても点灯した照明器具に連動して他の照明器具を点灯させる安価な照明システムを提供することを目的にしたものである。
【０００６】
【課題を解決するための手段】
この技術的課題を解決するための本発明の技術的手段は、人感センサ５とランプ６とを具備する照明器具２が、複数個設けられ、各照明器具２に、自己のアドレスと、他の照明器具２のうち連動して点灯すべき照明器具２のアドレスとが記録され、各照明器具２は、自己の人感センサ５が人を検知したとき、自己のランプ６を点灯させると共に、連動すべき他の照明器具２が人感センサ５を検知したとき、その照明器具２と連動してランプ６を点灯させるようにした照明システムにおいて、各照明器具２に、共通の連動信号Ｓ３が入力されると共に、この連動信号Ｓ３を時分割した各分割区間Ｌを、各照明器具２のアドレスに対応させており、各照明器具２は、自己の人感センサ５が人を検知したとき、自己のアドレスに対応する分割区間Ｌに人検知信号Ｓ１を付加する検知信号出力手段が設けられ、各照明器具２は、連動すべきアドレスに対応する分割区間Ｌで人検知信号Ｓ１を検出したとき、自己のランプを点灯させる連動点灯手段が設けられている点にある。
【０００７】
この技術的課題を解決するための本発明の他の技術的手段は、前記各照明器具２に、共通の同期信号Ｓ２が入力されるように構成され、前記検知信号出力手段は、前記同期信号Ｓ２を入力するタイミングＴ間で１ずつカウントしていき、そのカウント数が、自己のアドレスに一致したときの前記分割区間Ｌに人検知信号Ｓ１を付加するようにしている点にある。
この技術的課題を解決するための本発明の他の技術的手段は、前記各照明器具２に、共通の同期信号Ｓ２が入力されるように構成され、前記連動点灯手段は、前記同期信号Ｓ２を入力するタイミングＴ間で１ずつカウントしていき、そのカウント数が、連動すべきアドレスと一致したときの分割区間Ｌで人検知信号Ｓ１を検出したとき、自己のランプ６を点灯するようにしている点にある。
【０００８】
この技術的課題を解決するための本発明の他の技術的手段は、同期信号Ｓ２は、各照明器具２に接続された電源電圧の波形を同期さている点にある。
【０００９】
【発明の実施の形態】
以下、本発明の実施の形態を図面に基づいて説明する。
図１〜１０は本発明の照明システムの実施の形態を示している。
この照明システム１は、複数の照明器具２と、各照明器具２を接続する連動線３と、各照明器具２に交流電源ＡＣを供給する電源線４と、各照明器具２にアドレスを設定する赤外線送信機Ｒ（リモコン）とから構成されている。
この照明器具２は、６４台あり、各照明器具２には、自己を識別するアドレスが設定されており、一台の親器２ａと、複数台の子器２ｂから構成されている。
【００１０】
親器２ａの自己のアドレスは１とされ、子器２ｂの自己のアドレスは親器と異なる番号、例えば、２，３，４・・・６４されている。なお、子器２ｂ同士の自己のアドレスは、同じ番号（例えば２，２・・３，３）に設定しても良い。
図１において▲１▼、▲２▼、・・・は、各照明器具２の自己のアドレスを示しており、（１）、（２）、・・・は、各照明器具２における連動アドレスを示している。図６〜９の１，２，３・・は、各照明器具の波形カウンタのカウント数を示している。
【００１１】
図２に示すように、親器２ａ及び子器２ｂの各照明器具２は、人感センサー５、ランプ６、点灯回路７、ＣＰＵ８（制御部）、アドレス設定部９、記憶部１０（ＥＥＰＲＯＭ）、ＡＣ同期回路１１、連動回路部１２、電源部１３等から構成されている。
電源部１３は、電源線４に接続されており、ランプ６、点灯回路７、ＣＰＵ８、ＡＣ同期回路１１等に電源電圧を供給している。
人感センサ５は、例えば赤外線センサにより構成され、照明器具２の近傍（人感センサ５の検知エリア）に人がいるとき、人体の熱を感知して、人を検知した検知信号をＣＰＵ８に送信するようになっている。
【００１２】
点灯回路６は、ＣＰＵ８の制御信号に応じてランプ６を点灯及び消灯させるようになっている。
アドレス設定部９は、各照明器具２の自己のアドレス及び他の照明器具のうち連動して点灯すべき照明器具２のアドレス（以降連動アドレス）とを設定する場合に用いられ、赤外線送信機Ｒ（リモコン）から送信された自己のアドレス又は連動アドレスを受信して、ＣＰＵ８にその信号を入力するようになっている。
したがって、各照明器具２の自己のアドレス及び連動アドレスを設定するには、赤外線送信機Ｒに自己のアドレス及び連動アドレスのアドレスを入力し、
赤外線送信機Ｒからその番号を、対象となる照明器具２に送信することによって行われるようになっている。
【００１３】
例えば、この実施の形態では、図１に示すように、親器２ａの連動アドレスは、隣の照明器具２のアドレスと同じ番号の２とされ、アドレス２の子器２ｂの連動アドレスは、両隣の照明器具２のアドレスと同じ番号の１、３とされており、各照明器具２に設定される連動アドレスは、各照明器具２の両隣のアドレスと同じ番号に赤外線送信機Ｒにより設定されている。
なお、この連動アドレス及び自己のアドレスは、赤外線送信機Ｒにより適宜に変更することができる。
【００１４】
記憶部１０（ＥＥＰＲＯＭ）は、アドレス設定部９からＣＰＵ８に入力された自己のアドレス及び連動アドレスをＣＰＵ８を介して記憶されるようになっており、記憶された自己のアドレス及び連動アドレスをＣＰＵ８に出力することができるようになっている。
ＡＣ同期回路１１は、図５（ａ）に示すような交流電源電圧を電源部１３から受けて、図５（ｂ）に示すように、この電源電圧波形と同期するパルス波（同期信号Ｓ２）をＣＰＵ８に入力している。
【００１５】
連動回路部１２は、親器２ａ及び子器２ｂにより構成が異なっており、親器２ａの連動回路部１２は、図３に示すように定電流回路１４とスイッチＳＷ１を有しており、図５（ａ）に示すような交流電源を定電流回路１４で整流して、図５（ｃ）に示すように、連動線３にＤＣ電圧（例えば５Ｖ）の連動信号Ｓ３を供給している。
スイッチＳＷ１はＣＰＵ８の出力部（ＯＵＴ）に接続され、ＣＰＵ８からの信号を受けていないときはＯＦＦ状態となっており、後述するようにＣＰＵ８からの信号を受けてＳＷ１をＯＮさせることによって、図５（ｃ）に示すような、人検知信号Ｓ１（０Ｖ又は低電圧）を連動信号Ｓ３に付加するようになっている。
【００１６】
子器２ｂの連動回路部１２は、図４に示すようにとスイッチＳＷ２を有しており、スイッチＳＷ２はＣＰＵ８の出力部（ＯＵＴ）に接続され、ＣＰＵ８からの信号を受けていないときはＯＦＦ状態となっており、後述するようにＣＰＵ８からの信号を受けてＳＷ２をＯＮさせることによって、図５（ｃ）に示すような、人検知信号Ｓ１（０Ｖ又は低電圧）を連動信号Ｓ３に付加するようになっている。
次に、親器２ａ及び子器２ｂのＣＰＵ８は、動作が異なるために、親器２ａのＣＰＵ８について説明する。
【００１７】
例えば、各照明器具２に交流電源を投入すると、親器２ａは、連動回路部１２を介して連動線３に図５（ｃ）に示すような高電圧の連動信号Ｓ３（例えば５Ｖ）を連動回路１２の定電流回路１４を介して、供給するようになっている。
親器２ａのＣＰＵ８の入力部（ＩＮ１）には、連動回路部１２を介して、図５（ｃ）に示すような高電圧の連動信号Ｓ３が逐次入力され、入力部（ＩＮ２）には、ＡＣ同期回路１１から図５（ｂ）に示すような同期信号（パルス信号０、５Ｖ）が逐次入力される。
【００１８】
親器２ａのＣＰＵ８は、この連動信号Ｓ３及び同期信号Ｓ２が入力され初めてから初期化後、ＣＰＵ８に具備されている波形カウンタを１に設定し、同期信号の立ち下がりを認識してＡ時間後、出力部（ＯＵＴ）から連動回路部１２にスイッチ信号Ｓ５を出力して、連動回路１２のＳＷ１をＢ時間、ＯＮさせ、連動信号Ｓ３にスタートパルス信号Ｓ４（０Ｖ）を付加するようになっている。
したがって、親器２ａのＣＰＵ８は、波形カウンタのカウント数と自己の照明器具２のアドレスが一致する連動信号Ｓ３にスタートパルス信号Ｓ４を付加しており、後述するようにこの連動信号Ｓ３に付加されたスタートパルス信号Ｓ４を子器２ｂが認識することによって、子器２ｂの波形カウンタのカウント数は１（リセット）するようになっている。
【００１９】
この親器２ａのＣＰＵ８は、同期信号Ｓ２を入力するタイミングＴ間（この場合は同期信号の立ち下がり信号間）で、１ずつ波形カウンタをカウントアップしており、図６に示すように、この波形カウンタのカウント数が照明器具２の総数よりも１増加したとき（この場合は６５）、初期化時と同様に連動信号Ｓ３にスタートパルス信号Ｓ４（０Ｖ）を付加して、親器２ａのＣＰＵ８の波形カウンタのカウント数を１（初期の状態にリセット）にするようになっている。
したがって、図５、６に示すように、親器２ａのＣＰＵ８は、波形カウンタをカウントアップしながら、連動信号Ｓ３を入力するようにしているので、親器２ａに入力されている連動信号Ｓ３は、波形カウンタのカウント数ごとに時分割することが可能となる。
【００２０】
即ち、波形カウンタのカウント数が１の場合（カウント数が１から２に変わるまでの間）に、ＣＰＵ８に入力される連動信号Ｓ３の分割部分は分割区間Ｌ１とされ、波形カウンタのカウント数が２の場合に、ＣＰＵ８に入力される連動信号Ｓ３の分割部分は分割区間とＬ２されており、連動信号Ｓ３の分割区間Ｌは、各照明器具２の総数と同じ数の６４分割されている。
また、親器２ａのＣＰＵ８は、波形カウンタを１に設定した後、又は、波形カウンタをカウントアップした後、次の同期信号Ｓ２の立ち下がりがＣＰＵ８に入力されるまでのＤ間に、自己の人感センサ５から人を検知した信号を受けると、ＣＰＵ８に内蔵されたフラグ（人有りフラグ）をＯＮさせて人を検知したことを一時的に記憶しておき、さらに、波形カウンタのカウント数が自己のアドレスと一致している場合において同期信号Ｓ２の立ち下がりを検出すると、この同期信号Ｓ２の立ち下がりからＣ時間後、出力部（ＯＵＴ）から連動回路部１２にスイッチ信号Ｓ５を出力し、連動回路１２のＳＷ１をＢ時間、ＯＮさせて、人検知信号Ｓ１（０Ｖ）を連動信号Ｓ３に付加する。一方で、点灯回路７にランプ６の点灯の信号を送り、自己のランプ６を点灯させるようになっている。
【００２１】
例えば、図５に示すように、親器２ａが波形カウンタを１に設定した後、同期信号Ｓ２の立ち下がりがＣＰＵ８に入力されるまでのＤ１間に、親器２ａの人感センサ５が人を検知すると、連動信号Ｓ１の分割区間Ｌ１に人検知信号Ｓ１を付加する。また、波形カウンタのカウント数を１から２にカウントアップした後、同期信号Ｓ２の立ち下がりがＣＰＵ８に入力されるまでのＤ２間に親器２ａの人感センサ５が人を検知すると、図６に示すように、波形カウンタのカウント数を６４までカウントした後の連動信号Ｓ１の分割区間Ｌ１に人検知信号Ｓ１を付加する。
【００２２】
したがって、親器２ａには、親器２ａの自己の人感センサ５が人を検知したとき、波形カウンタのカウント数と親器２ａのアドレスが一致する連動信号Ｓ３の分割区Ｌ１間に人検知信号Ｓ１を付加する検知信号出力手段がＣＰＵ８により構成されており、後述するように子器２ｂは、この人検知信号Ｓ１を検知して、親器２ａと連動して子器２ｂを点灯するようになっている。
また、親器２ａのＣＰＵ８は、親器２ａの波形カウンタのカウント数が親器２ａに記録されている連動アドレスと一致した場合、同期信号Ｓ２の立ち下がりを検出してから、親器２ａのＣＰＵ８に入力されている連動信号Ｓ３の状態を参照するようになっており、同期信号Ｓ２の立ち下がりからＣ時間後の連動信号Ｓ３に人検知信号Ｓ１が入力されていると、点灯回路７にランプ６の点灯の信号を送り、自己のランプ６を点灯させるようになっている。
【００２３】
例えば、図１、５に示すように、親器２ａに連動アドレス２が設定されているので、親器２ａは、自己の波形カウンタのカウント数が連動アドレスと一致する２になったとき、波形カウンタのカウント数が２における同期信号Ｓ２の立ち下がりがＣＰＵ８に入力された後、この立ち下がりを検出してからＣ時間後の連動信号Ｓ３に人検知信号Ｓ１が付加されているか否かを参照して、この連動信号Ｓ３に人検知信号Ｓ１が付加さているので、この人検知信号Ｓ１を検知し、親器２ａを点灯するようになっている。
【００２４】
したがって、親器２ａの照明器具２には、波形カウンタのカウント数と連動アドレスのとが一致したとき、連動信号Ｓ３の分割区間Ｌ１で人検知信号Ｓ１を検出すれば、自己のランプ６を点灯する連動点灯手段がＣＰＵ８により構成されている。
次に、子器２ｂのＣＰＵについて説明する。
各照明器具２に交流電源を投入すると、子器２ｂのＣＰＵ８の入力部（ＩＮ１）には、連動線３から連動回路部１２を介して、図５（ｃ）に示すような高電圧の連動信号Ｓ３（例えば５Ｖ）が逐次入力され、入力部（ＩＮ２）には、ＡＣ同期回路１１から図５（ｂ）に示すようなタミング信号Ｓ２（パルス信号０、５Ｖ）が逐次入力される。
【００２５】
図５に示すように、各子器２ｂのＣＰＵ８は、初期化後、親器２ｂとほぼ同じタイミングでＣＰＵ８に具備されている波形カウンタを１に設定する。
各子器２ｂのＣＰＵ８は、同期信号Ｓ２を入力するタイミングＴ間で、１ずつ波形カウンタをカウントアップしていき、図７に示すように、親器から出力されたスタートパルス信号Ｓ４を検出すると、子器２ｂの波形カウンタは１に設定される。
したがって、各子器２ｂのＣＰＵ８は、波形カウンタをカウントアップしながら、連動信号Ｓ３を入力するようにしているので、各子器２ｂに入力されている連動信号Ｓ３は、波形カウンタのカウント数ごとに時分割することが可能となる。
【００２６】
即ち、波形カウンタが１の場合（波形カウンタが１から２に変わるまでの間）に、ＣＰＵ８に入力される連動信号Ｓ３の分割部分は分割区間Ｌ１とされ、波形カウンタが２の場合に、ＣＰＵ８に入力される連動信号Ｓ３の分割部分は分割区間Ｌ２とされており、連動信号Ｓ３のこの分割区間Ｌは、各照明器具２の総数に１加算した６５に分割されている。
各子器２ｂのＣＰＵ８は、波形カウンタをカウントアップした後、同期信号Ｓ２の立ち下がりを検知するまでのＤ間に、自己の人感センサ５から人を検知した信号を受けると、ＣＰＵ８内蔵されたフラグ（人有りフラグ）をＯＮさせて人を検知したことを一時的に記憶しておき、さらに、波形カウンタのカウント数が自己のアドレスと一致している場合において同期信号Ｓ２の立ち下がりを検出すると、この同期信号Ｓ２の立ち下がりからＣ時間後、出力部（ＯＵＴ）から連動回路部１２にスイッチ信号Ｓ５を出力し、連動回路のＳＷ２をＢ時間、ＯＮさせて、人検知信号Ｓ１（０Ｖ）を連動信号Ｓ３に付加する。一方で、点灯回路７にランプ６の点灯の信号を送り、自己のランプ６を点灯させるようになっている。
【００２７】
例えば、図８に示すように、アドレスが３の子器２ｂが点Ｐのタイミングで人を検知した場合、アドレス３の子器２ｂのＣＰＵ８に内蔵されたフラグがＯＮされ一時的に人検知したことが記憶される。
アドレス３の子器２ｂの波形カウンタが自己のアドレスと一致しときに、同期信号Ｓ２の立ち下がりを検出した後、ＣＰＵ８に内蔵されたフラグはＯＦＦされると同時に上記のように連動信号Ｓ３に人検知信号Ｓ１が付加される。
なお、子器２ｂの波形カウンタのカウント数が１のとき、スタートパルス信号Ｓ４を検知しても、子器２ｂの波形カウンタのカウント数は１のままである。
【００２８】
したがって、各子器２ｂは、子器２ｂの自己の人感センサ５が人を検知したとき、波形カウンタのカウント数と各子器２ｂのアドレスが一致する連動信号Ｓ３の分割区間Ｌに人検知信号Ｓ１を付加する検知信号出力手段がＣＰＵ８により構成されている。
また、各子器２ｂのＣＰＵ８は、子器２ｂの波形カウンタのカウント数が子器２ｂに記録されている連動アドレスと一致したとき、同期信号Ｓ２の立ち下がりを検出してからＣ時間後に、子器２ｂのＣＰＵ８に入力されている連動信号Ｓ３の状態を参照するようになっており、Ｃ時間後の連動信号Ｓ３に人検知信号Ｓ１を検知したとき、点灯回路６にランプ６の点灯の信号を送り、自己のランプ６を点灯させるようになっている。
【００２９】
例えば、図１、５に示すように、アドレス２の子器２ｂに連動アドレスが１に設定されているので、アドレス２の子器２ｂは、自己の波形カウンタのカウント数が連動アドレスと一致する１になったとき、同期信号Ｓ２の立ち下がりエッジを検出してからＣ時間後に、連動信号１２に人検知信号Ｓ１が付加されているか否かを参照して、この連動信号Ｓ３に人検知信号Ｓ１が付加されているので、この人検知信号Ｓ１を検知し自己の子器２ｂを点灯するようになっている。
したがって、子器２ｂの照明器具２は、波形カウンタのカウント数と連動アドレスのとが一致したとき、連動信号Ｓ３の分割区間Ｌで人検知信号Ｓ１を検出すれば、自己のランプ６を点灯する連動点灯手段がＣＰＵ８により構成されている。
【００３０】
なお、子器２ｂのＣＰＵ８は、子器２ｂの波形カウンタのカウント数が子器２ｂに記録されている連動アドレスと一致したとき、同期信号Ｓ２の立ち下がりを検出してからＣ時間後に、子器２ｂのＣＰＵ８に入力されている連動信号Ｓ３の状態を参照するようになっているが、親器２ａが出力したスタートパルス信号Ｓ４によって波形カウンタが１に設定（初期化）された場合においては、図７に示すように、波形カウンタが初期化される前（この場合は６５）の同期信号Ｓ２の立ち下がりを検出してからＣ時間後に子器２ｂのＣＰＵ８に入力されている連動信号Ｓ３の状態を参照するようなっている。
【００３１】
次に、照明器具２のうち親器２ｂの動作について図９のフローチャートを参照しながら説明する。
ステップ１で電源が投入されると、図５に示すように、ＡＣ同期回路１１からＣＰＵ８に同期信号Ｓ２が入力される。ステップ２で、親器２ａは連動回路部１２を介して、連動線３に連動信号Ｓ３（高電圧５Ｖ）を供給する。その後、親器２ａのＣＰＵ８に逐次連動信号Ｓ３が入力される。また、親器２ａのＣＰＵ８に内蔵されている波形カウンタを１に設定する（初期設定）。
【００３２】
ステップ３でＡＣ同期回路１１からＣＰＵ８に入力されている同期信号Ｓ２の立ち下がりを認識しなければ、ステップ４に進み、同期信号Ｓ２の立ち下がりを認識すれば、ステップ６に進む。
ステップ４で、親器２ａの人感センサ５が人を検知すれば、ステップ５に進み、人を検知しなければステップ１８に進む。このステップ１８については、後述するがステップ１８の処理が終われば、ステップ３に進むようになっている。
ステップ５で、人感センサ５はＣＰＵ８に検知信号を送り、ＣＰＵ８は内部で人感センサ５が反応したという人有りフラグをＯＮにする。
【００３３】
このＣＰＵ８内の人有りフラグをＯＮすることによって、親器２ａの人感センサ５が人を検知したことを、一時的にＣＰＵ８に記憶することができる。
ステップ６で、波形カウンタが１であれば（親器２ａのアドレスと波形カウンタのカウント数が一致している場合）、ステップ７に進み、波形カウンタが１でなければ（親器２ａのアドレスと波形カウンタのカウント数が一致していない場合）ステップ１１に進む。
ステップ７で、ＣＰＵ８は、同期信号Ｓ２の立ち下がりエッジが検出されてからＡ時間後に、連動回路１２のスイッチＳＷ１をＢ期間ＯＮさせて、図５に示すように、連動信号Ｓ３にスタートパルスＳ４（連動信号０Ｖ又は低電圧）を付加する。
【００３４】
ステップ８で、ＣＰＵ８内部で人有りフラグがＯＮになっていれば、ステップ９に進み、人有りフラグがＯＮになっていなければ、即ち、人有りフラグがＯＦＦであれば、ステップ１５に進む。ステップ９で、ＣＰＵ８内部の人有りフラグをＯＦＦにし、ステップ１０に進む。
ステップ１０で、ＣＰＵ８は、同期信号Ｓ２の立ち下がりを検出してからＣ時間後に、連動回路１２のスイッチＳＷ１をＢ期間ＯＮさせて、図５に示すように、連動信号Ｓ３に人検知信号Ｓ１（連動信号０Ｖ又は低電圧）を付加する。なお、ステップ１０において、Ｃ時間はステップ７のＡ時間よりも長い時間に設定されている。
【００３５】
したがって、ステップ３〜ステップ１０まで（検知信号出力手段）においては、ＣＰＵ８が同期信号Ｓ２の立ち下がりを検出する（ステップ３）までの間に親器２ａの人感センサ５が反応しているか否か（ステップ４）を判別し、人感センサ５が人を検知していれば、ＣＰＵ８内部の人有りフラグをＯＮしておき（ステップ５）、波形カウンターのカウント数が自己のアドレスと一致し且つ、同期信号Ｓ２の立ち下がりを検出した時点で、スタートパルス信号Ｓ４を付加後、連動信号Ｓ３に人検知信号Ｓ１を付加している（ステップ８のＹＥＳからステップ１０）。
【００３６】
ステップ１１で、親器２ａに設定された連動アドレスと波形カウンタのカウント数が一致すればステップ１２に進み、親器２ａに設定された連動アドレスと波形カウンタのカウント数が一致しなければステップ１５に進む。
ステップ１１において、親器２ａは、記憶部９に格納されている連動アドレスと波形カウンタのカウント数とを比較することによって、親器２ａが連動信号Ｓ３の状態を参照するか否かを判別している。即ち、親器２ａに入力されている連動信号Ｓ３が、親器２ａにとって連動すべき照明器具２（子器２ｂ）のものであるか否かをステップ１１で判別しており、この連動信号Ｓ３が連動すべき照明器具２のものであれば、その連動信号Ｓ３の状態をステップ１２で参照しようとするものである。
【００３７】
ステップ１２で、同期信号Ｓ２の立ち下がりからＣ時間後の連動信号Ｓ３がＢ期間、低電圧（０Ｖ）になっていれば（人検知信号Ｓ１を検知すれば）ステップ１３に進み、同期信号Ｓ１の立ち下がりエッジからＡ時間後の連動信号Ｓ３が、Ｃ期間、低電圧（０Ｖ）でなければ、（人検知信号Ｓ１を検知しなければ）、ステップ１４に進む。ステップ１２において、親器２ａは、同期信号Ｓ２の立ち下がりからＣ時間後の連動信号Ｓ３の信号が、Ｂ期間、低電圧になっているかを参照し、Ｂ期間、低電圧になっていれば人検知信号Ｓ１が連動信号Ｓ３の信号に付加されていると認識している。
【００３８】
即ち、連動信号Ｓ３には、低電圧であるスタートパルスＳ４も付加されているので、人検知信号Ｓ１又は、スタートパルスＳ４を検出したとき、同期信号Ｓ１の立ち下がりを検出してからどれくらいの時間が経過しているかを計測することによって、その検知した低電圧の信号が人検知信号Ｓ１であるかスタートパルスＳ４であるかを判別することができるようになっている。
ステップ１３で、ＣＰＵ８は内部で連動人有りフラグをＯＮにして、ステップ１５に進む。ステップ１４で、ＣＰＵ８は内部で連動人有りフラグをＯＦＦにして、ステップ１５に進む。
【００３９】
したがって、ステップ１１〜１４まで（連動点灯手段）においては、親器２ａは、連動アドレスに設定されている照明器具２の連動信号Ｓ３のみ参照して、その連動信号Ｓ３に人検知信号Ｓ１が付加されているか否かを判別し、人検知信号Ｓ１が付加されていればＣＰＵ８内部の連動人有りフラグをＯＮにして、自己のランプを点灯させる準備（ステップ１３）をし、人検知信号Ｓ１が付加されていなければ、自己のランプを消灯させる準備又は自己のランプを消灯した状態のままにするようにしている（ステップ１４）。
【００４０】
ステップ１５で、親器２ａの波形カウンタのカウント数を１加算（カウントアップ）して、ステップ１６に進む。ステップ１６で、親器２ａの波形カウンタのカウント数が６５であれば、ステップ１７に進み、親器２ａの波形カウンタのカウント数が６５以外であれば、ステップ３に進む。
ステップ１７で、親器２ａの波形カウンタを１にして（カウント数を１にリセットする）、ステップ３に進む。
図１、６に示すように、ステップ１６においては、各照明器具２が６４個ありその各照明器具２の自己のアドレスが順に１，２，３，４・・・６４と設定されているので、親器２ａは波形カウンタが６５になったとき、各照明器具２に対応する連動信号Ｓ３の状態は一通り（１サイクル）参照したと判断し、波形カウンターを１に戻している（ステップ１７）。
【００４１】
したがって、ステップ１６では、各照明器具２に対応する連動信号Ｓ３をすべて参照した時点（１サイクル）で波形カウンタを所定のカウント数（親器のアドレスが１からなので、この場合は波形カウンタを１に戻す）に戻せばよい。
ステップ１８で、ＣＰＵ８は、人有フラグ又は連動人有フラグがＯＮであれば、ＣＰＵ８は点灯回路７に制御信号を送り、ランプ６を点灯させる。
またＣＰＵ８の人有りフラグ又は連動人有フラグがＯＦＦであれば、ＣＰＵ８は点灯回路７に制御信号を送り、ランプを消灯させる。
【００４２】
なお、ステップ１８において、親器２ａのランプ６が消灯の状態で、人有りフラグ又は連動人有フラグがＯＦＦであれば、ランプ６の消灯状態は維持される。また、ステップ１８において、人有フラグがＯＮしている場合、ランプ６を点灯させてたが、波形カウンタが自己のアドレスと一致し且つ、人感センサ５が反応している場合に点灯し始め、人感センサ５が反応していない場合に消灯するようにしてもよい。
また、ステップ３から波形カウンタのカウントアップまでの処理は、同期信号Ｓ２の立ち下がりタイミングＴ間で処理される。
【００４３】
次に、照明器具２のうち子器２ｂの動作について図１０のフローチャートを参照しながら説明する。
ステップ１で電源が投入されると、図５に示すように、ＡＣ同期回路１１からＣＰＵ８に同期信号Ｓ２が入力される。その後、親器２ａから出力された連動信号Ｓ３は、子器２ｂのＣＰＵ８に逐次入力される。
ステップ２でＣＰＵ８に内蔵されている波形カウンタを１に設定する。
ステップ３でＡＣ同期回路１１からＣＰＵ８に入力されている同期信号Ｓ２の立ち下がりを認識しなければ、ステップ４に進み、同期信号Ｓ２の立ち下がりを認識すれば、ステップ６に進む。
【００４４】
ステップ４で、子器２ｂの各照明器具２の人感センサ５が人を検知すれば、ステップ５に進み、人を検知しなければステップ１７に進む。
ステップ５で、人感センサ５はＣＰＵ８に反応した検知信号を送り、ＣＰＵ８は内部で人感センサ５が反応したという人有りフラグをＯＮにする。
このＣＰＵ８内の人有りフラグをＯＮすることによって、子器２ｂ（自己の照明器具２）の人感センサ５が人を検知したことを、一時的に記憶することができる。
【００４５】
ステップ６で、同期信号Ｓ２の立ち下がりエッジからＡ時間後の連動信号が、Ｂ期間、低電圧、０Ｖになっていれば（連動信号Ｓ３にスタートパルスＳ４を検知すれば）、ステップ１６に進み、連動信号Ｓ３にスタートパルスＳ４を検知しなければステップ７に進む。
ステップ７で、自己のアドレスと波形カウンタのカウント数が一致していれば、ステップ８に進み、自己のアドレスと波形カウンタのカウント数が一致していない場合は、ステップ１６に進む。
【００４６】
ステップ８で、ＣＰＵ８内部で人有りフラグがＯＮになっていれば、ステップ９に進み、人有りフラグがＯＮになっていなければ、即ち、人有りフラグがＯＦＦであれば、ステップ１５に進む。ステップ９で、ＣＰＵ８内部の人有りフラグをＯＦＦにし、ステップ１０に進む。
ステップ１０で、ＣＰＵ８は、同期信号Ｓ２の立ち下がりが検出されてからＣ時間後に、連動回路１２のスイッチＳＷ２をＢ期間ＯＮさせて、図９に示すように、連動信号Ｓ３に人検知信号Ｓ１を付加する。なお、ステップ１０において、Ｃ時間はステップ７のＡ時間よりも長い時間に設定されている。
【００４７】
したがって、ステップ３〜ステップ１０まで（検知信号出力手段）においては、ＣＰＵ８が同期信号Ｓ２の立ち下がりを検出する（ステップ３）までの間に自己の照明器具２の人感センサ５が反応しているか否か（ステップ４）を判別し、人感センサ５が人を検知していれば、ＣＰＵ８内部の人有りフラグをＯＮしておき（ステップ５）、波形カウンターのカウント数が自己の照明器具２のアドレスと一致したとき（ステップ７のＹＥＳ）のタイミングで、自己のアドレスに対応する分割区間Ｌに人検知信号Ｓ１を付加している（ステップ８のＹＥＳからステップ１０）。
【００４８】
ステップ１１で、子器２ｂ（自己の照明器具２）に設定された連動アドレスと波形カウンタのカウント数が一致すれば、ステップ１２に進み、子器２ｂ（自己の照明器具２）に設定された連動アドレスと波形カウンタのカウント数が一致しなければステップ１５に進む。
ステップ１１において、子器２ｂ（自己の照明器具２）は、記憶部９に格納されている連動アドレスと波形カウンタのカウント数とを参照することによって、子器２ｂ（自己の照明器具２）が連動信号Ｓ３の状態を参照するか否かを判別している。即ち、子器２ｂ（自己の照明器具２）に入力されている連動信号Ｓ３が、子器（自己の照明器具Ｓ３）にとって連動すべき照明器具２のものであるか否かをステップ１１で判別しており、この連動信号Ｓ３が連動すべき照明器具２のものであれば、その連動信号Ｓ３の状態をステップ１２で参照しようとするものである。
【００４９】
ステップ１２で、同期信号Ｓ２の立ち下がりからＣ時間後の連動信号Ｓ３が、Ｂ期間、低電圧０Ｖになっていれば（人検知信号Ｓ１を検知すれば）ステップ１３に進み、同期信号Ｓ３の立ち下がりからＣ時間後の連動信号Ｓ３が、Ｂ期間、低電圧０Ｖになってなければ（人検知信号Ｓ１を検知しなければ）であれば、ステップ１４に進む。ステップ１２において、子器２ｂ（自己の照明器具２）は、連動信号Ｓ３に人検知信号Ｓ１が付加されているか否かを判別している。
ステップ１３で、ＣＰＵ８は内部で連動人有りフラグをＯＮにして、ステップ１５に進む。ステップ１４で、ＣＰＵ８は内部で連動人有りフラグをＯＦＦにして、ステップ１５に進む。
【００５０】
したがって、ステップ１１〜１４まで（連動点灯手段）においては、それぞれの照明器具２は、連動アドレスに設定されている照明器具２の連動信号のみ参照して、その連動信号Ｓ３に人検知信号Ｓ１が付加されているか否かを判別して、人検知信号Ｓ１が付加されていればＣＰＵ８内部の連動人有りフラグをＯＮにして、自己のランプ６を点灯させる準備（ステップ１３）をし、人検知信号Ｓ１が付加されていなければ、自己のランプ６を消灯させる準備又は自己のランプ６を消灯した状態のままにするようにしている（ステップ１４）。
【００５１】
ステップ１５で、子器２ｂの各照明器具２の波形カウンタを１加算（カウントアップ）して、ステップ３に進む。
ステップ１６で、子器２ｂの各照明器具２の波形カウンタを１にして（カウント数を１にリセットする）、ステップ１１に進む。
ステップ１７で、ＣＰＵ８の人有りフラグ又は連動人有フラグがＯＮであれば、ＣＰＵ８は点灯回路７に制御信号を送り、ランプ６を点灯させる。またＣＰＵ８の人有りフラグ又は連動人有フラグがＯＦＦであれば、ＣＰＵ８は点灯回路７に制御信号を送り、ランプを消灯させる。
【００５２】
なお、ステップ１７において、子器２ｂのランプ６が消灯の状態で、人有りフラグ又は連動人有フラグがＯＦＦであれば、ランプ６の消灯状態は維持される。また、ステップ１７において、人有フラグがＯＮしている場合、ランプ６を点灯させてたが、波形カウンタが自己のアドレスと一致し且つ、人感センサ５が反応している場合に点灯し始め、人感センサ５が反応していない場合に消灯するようにしてもよい。
また、ステップ３から波形カウンタのカウントアップまでの処理は、同期信号Ｓ２の立ち下がりタイミングＴ間で処理される。
【００５３】
このように、各照明器具２を連動線３で接続し、各照明器具２に共通の連動信号Ｓ３（人検知信号Ｓ１）を入力すると共に、連動信号Ｓ３を時分割して各分割区間Ｔを各照明器具２のアドレスに対応させ、且つ、同期信号Ｓ２の立ち下がりからの時間経過を基準として連動信号Ｓ３に人検知信号Ｓ１を付加しているので、複雑な通信プロトコルや通信用ＣＰＵを用いなくても（連動線３の連動信号Ｓ３に照明器具２のアドレス信号を付加しなくても）各照明器具２は、どの照明器具２が人感センサ５を検知したか検出することができ、点灯した照明器具２に連動して他の照明器具２を点灯させることができる。
【００５４】
例えば、図１、８に示すように、アドレス３の照明器具２が人を検知して自己のランプ６を点灯したとすると、他の照明器具２にアドレス３の照明器具２が点灯したことを知らせるために、アドレス３の照明器具２は波形カウンタのカウント数と自己のアドレスと同じ番号となっている間の連動信号Ｓ３の分割区間Ｌ３に人検知信号Ｓ１を付加する。一方で、アドレス３の照明器具２と連動するアドレス２、４の照明器具２は、波形カウンタのカウント数と連動アドレスとが一致する分割区間Ｌ３に人検知信号Ｓ１が付加されているか判定し、人検知信号Ｓ１を検知するので、アドレス２、４の照明器具２は自己を点灯させることができる。
【００５５】
また、各照明器具２は、同期信号Ｓ２の立ち下がりを検出してから、連動信号Ｓ３に人検知信号Ｓ１を付加したり、各照明器具２は、同期信号Ｓ２の立ち下がりを検出してから、連動信号Ｓ３の状態を参照しているので、各照明器具２間で人検知信号Ｓ１を検出するタイミングを合わせることができ、各照明器具２が他の照明器具２にスムーズ連動して自己の照明器具２を点灯させることができる。さらに、各照明器具２に入力されている同期信号Ｓ２は、各照明器具２が共有している交流電源電圧（例えば、５０ＫＨｚ）からの信号を同期させているものであるので、各照明器具２の連動信号Ｓ３を参照するタイミングがずれることがない。
【００５６】
連動信号Ｓ３においては、人検知信号Ｓ１とスタートパルスＳ４が付加されるだけであるので、連動信号Ｓ３に各照明器具２のアドレス情報を付加させる必要がなく、この各照明器具２に用いられるＣＰＵは、低コストなＣＰＵで構成することができる。
また、図１に示すように、各照明器具２の連動アドレスは、各照明器具２の両隣のアドレスと同じ番号に設定されているので、自己の照明器具２が人を検知して点灯すると、その点灯した照明器具２の両隣の照明器具２を連動して点灯させることができる。
【００５７】
本発明は、上記記載の実施の形態に限定されることなく適宜に設計変更が可能である。例えば、人感センサ５は照明器具２と必ずしも一体化されていなくてもよく、各照明器具２に対応する人感センサ５が人を検知したときに、その人感センサ５に対応する照明器具２を点灯するように構成していればよい。
また、同期信号Ｓ２のタイミング間は、立ち下がり信号間であったが、立ち下がり信号間であっても、立ち下がりと立ち上がりとの信号間であってもよい。
また、人を検知して点灯した照明器具２の両隣の照明器具２を点灯するようにしていたが、適宜に連動アドレスを設定して、離れた照明器具２を連動点灯するようにしてもよいし、前後左右の照明器具を連動点灯させるようにしてもよい。
【００５８】
さらに、各照明器具２は６４台のうち、親器１台、子器６３台というように構成していたが、当然の如く、各照明器具２の台数は任意に変更することができる。
【００５９】
【発明の効果】
本発明によれば、連動信号にアドレス信号を付加しなくても点灯した照明器具に連動して他の照明器具を点灯させることができ、従って、連動信号は、アドレス信号と人検知信号とが重畳した多重信号とならないので、その信号を処理するための通信用ＣＰＵが不要となり、照明システムを安価にすることができる。
【図面の簡単な説明】
【図１】本発明の実施の形態を示す照明システムの構成図である。
【図２】同照明器具のブロック図である。
【図３】同親器の連動回路部の構成図である。
【図４】同子器の連動回路部の構成図である。
【図５】ａ）照明器具に入力される交流電源  ｂ）ＣＰＵに入力される同期信号  ｃ）連動信号と波形カウンタの関連図である。
【図６】同１サイクル後の親器のＣＰＵに入力されるａ）同期信号とｂ）連動信号と波形カウンタの関連図である。
【図７】同１サイクル後の子器のＣＰＵに入力されるａ）同期信号とｂ）連動信号と波形カウンタの他の関連図である。
【図８】同アドレス３の子器が人感センサを感知した時の説明図である。ａ）同期信号、ｂ）連動信号
【図９】同親器の動作のフローチャート図である。
【図１０】同子器の動作のフローチャート図である。
【符号の説明】
１  照明システム
２  照明器具
５  人感センサ
６  ランプ
Ｓ１  人検知信号
Ｓ２  同期信号
Ｓ３  連動信号
Ｌ    分割区間
【図１】
2004185869.tif 000003
【図２】
2004185869.tif 000004
【図３】
2004185869.tif 000005
【図４】
2004185869.tif 000006
【図５】
2004185869.tif 000007
【図６】
2004185869.tif 000008
【図７】
2004185869.tif 000009
【図８】
2004185869.tif 000010
【図９】
2004185869.tif 000011
【図１０】
2004185869.tif 000012